(57)【要約】  シガレットを含むために設計された本質的に平行六面体の外観を有する硬質パック１は、ヒンジ式蓋８を備えた内側パケット５と、凹所２０を提供する前面開放型の箱すなわちケース６から構成され、凹所２０内にはパケット５が、背面１１、上面１４、底面１３および側面１２がそれぞれケース６の背面１７、横方向壁１９および長手方向壁１８に接触した状態で収容され、内側パケット５は前壁１０と底面１３との間の前側角縁に沿って外側ケース６の対応する横方向壁１９の提供する自由縁に接続される。そして内側パケット５はヒンジ２１として機能する前記角縁の周りを収容された位置とケース６から部分的に取り出された位置との間を回動することができる。パックを開くと自動的に蓋８を開放させるようにケース６とパケット５の間で作用する結合要素２６もまたパックの一部を構成する。
2010533628.tif 000002
【特許請求の範囲】
【請求項１】
実質的に平行六面体の外観を有するタバコ製品用硬質パックにおいて、
前記パックは、前壁（１０）と、後壁すなわち背面（１１）と、二つの側面（１２）とを含み長手軸線（Ａ）に平行して延びる四つの側壁および長手軸線（Ａ）を横切って配置される少なくとも一つの端壁（１３）を有する内箱部材すなわちパケット（５）と、
長方形の背面壁（１７）と、その四辺に沿って前記背面壁に強固に結合され平行六面体の凹所（２０）を形成する二つの長手方向壁（１８）と二つの横方向壁（１９）とを有し、前記凹所は前記内箱部材（５）を前記背面（１１）が前記後壁（１７）に接触し、前記端壁（１３）が対応する前記横方向壁（１９）に接触し、かつ前記二側面（１２）が前記長手方向壁（１８）に接触する状態に配置して収容する外側部材すなわちケース（６）と、を備え、
前記内箱部材（５）は、前記前壁（１０）と前記端壁（１３）の間の連結部と一致する一つの角縁に沿って前記外箱部材（６）の対応する横方向壁（１９）にヒンジ止めされ、かつ、
第一の収容された位置と第二の部分的に取り出された位置との間を、ヒンジ（２１）として機能する角縁の周りを前記外箱部材（６）に対して回動可能である、
ことを特徴とする、タバコ製品用硬質パック。
【請求項２】
前記内箱部材（５）はヒンジ式蓋（８）を有するパケットからなる、請求項１に記載のパック。
【請求項３】
前記内箱部材（５）は、前記内箱部材（５）の前記底壁（１３）および前記蓋（８）の上壁（１４）と一致する二つの端壁（１３，１４）を有し、前記上壁（１４）が前記上壁（１４）と前記外箱部材（６）の前記対応横方向壁（１９）との間で作用する結合手段（２６）に結合されることで、前記外箱部材（６）から前記内箱部材（５）が取り出されると自動的に開運動を誘発する、請求項２に記載のパック。
【請求項４】
前記蓋（８）が前記上壁（１４）と、前記背面（１１）の端部と一致する後壁（１５）と、それぞれが各側面（１２）の端部と一致する三角形状の二つの側壁（１６）とを備える、請求項３に記載のパック。
【請求項５】
前記内箱部材（５）の前記側面（１２）と前記外箱部材（６）の前記対応長手方向壁（１８）との間で作用し、前記内箱部材（５）が前記ヒンジ（２１）の周りを回動する際に所定範囲内の角運動を許可する運動制限結合手段（２２）をさらに備える、請求項１から４のいずれか一項に記載のパック。
【請求項６】
前記外箱部材（６）の前記主壁すなわち背面壁（１７）は、前記内箱部材（５）の前記後壁すなわち背面（１１）への接触を可能にする開口部（３０）を有する、請求項１から５のいずれか一項に記載のパック。
【請求項７】
前記内箱部材（５）の前記前壁（１０）は、前記内箱部材（５）を前記外箱部材（６）から引き出すこと可能にするタブ手段（３３）を備える、請求項１から６のいずれか一項に記載のパック。
【請求項８】
前記外箱部材（６）および前記内箱部材（５）は、第一平坦ブランク（６’）および第二平坦ブランク（５’）からそれぞれ形成され、前記二つのブランク（６’、５’）のうちの少なくとも一つは前記第一および第二箱部材（５、６）を互いに連結する役目を果たすフラップ（３７）を具備する、請求項１から７のいずれか一項に記載のタバコ製品用硬質パック。
【請求項９】
前記フラップ（３７）は、第一ブランク（６’）の端フラップを構成し、かつ前記ヒンジ（２１）として機能する折り目線（２１’）に沿って前記第一ブランクに連結される、請求項８に記載のパック。
【請求項１０】
前記第一ブランク（６’）は、長手軸線（Ａ’’）を有する実質的に矩形の輪郭を呈し、かつ、
前記外箱部材の前記背面（１７）を提供する中央パネル（１７’）、前記長手方向壁（１８）を提供する二つの長手方向パネル（１８’）、および前記横方向壁（１９）を提供する二つの横方向パネル（１９’）を画定する複数の長手方向折り目線および横方向折り目線と、
前記長手方向パネル（１８’）の各々に連結され、かつ折り返すことで使用時に前記内箱部材（５）に前記第二ヒンジ（２１）周りの回動が許可される角度を制限する役目を果たす止め部（２５）を形成する二つの端パネル（２５’）と、
前記各長手方向パネル（１８’）の端部に結合され、前記長手方向壁（１８）と前記横方向壁（１９）の間の結合を提供するフラップ（３８）とを含む、請求項９に記載のパック。
【請求項１１】
前記第一ブランク（６’）は、前記端フラップ（３７）と接続された前記横方向パネルから遠く離れた前記横方向パネル（１９’）に接続され、かつ前記結合手段（２６）を構成するタブ（２７’）を形成するように設計された切り欠き（２８’）を有する、上端パネル（３６）、をさらに含む、請求項１０に記載のパック。
【請求項１２】
前記第二ブランク（５’）は、長手軸線（Ａ’）を有する実質的に矩形の輪郭を呈し、かつ、
前記内箱部材の前記前壁（１０）と一致するパネル（１０’）と、前記背面（１１）と一致するパネル（１１’）と、前記前壁（１０）と前記背面（１１）を提供する前記パネル（１０’、１１’）の間にはさまれ、前記端壁（１３）と一致するパネル（１３’）とを画定する複数の長手方向および横方向折り目線と、
前記前壁（１０）および前記背面（１１）とそれぞれ一致する前記パネル（１０’、１１’）にそれぞれ連結され、前記内箱部材（５）の側面（１２）を提供するように重ねることができる長手方向パネル（１２’、１２’’）と、
前記ブランクのパネル（１１’）に結合された長手方向パネル（１２’’）に設けられた切り欠き（２４’）によって形成され、前記運動制限結合手段（２２）を構成するタブ（２３’）と、
前記前壁（１０）と一致する前記パネル（１０’）の自由端に接続され、二重に折り返し前記パネル（１０’）に対して平坦にすることが可能なフラップ（１０’’）とを含む、請求項９、１０または１１のいずれか一項に記載のパック。
【請求項１３】
前記内箱部材の前記背面（１１）を提供する前記パネル（１１’）は、前記蓋（８）の前記ヒンジ線（９）として機能する折り目線（９’）によって、端パネル（１４’）から折り目線によって区分されるパネル（１５’）から区分され、かつ、前記パネル（１１’）の両端は二つの三角フラップ（１６’）を、前記パネル（１５’、１４’）と前記フラップ（１６’）を組み合わせて前記蓋（８）の前記後壁（１５）、前記端壁（１４）および前記側壁（１６）を構成するように配置して有する、請求項１１に記載のパックであって、前記二つのパネル（１５’、１４’）は前記タブ（２７）と組み合わせて前記結合手段（２６）を構成する各々のスロット（２９’、３０’）をさらに有し、前記三角フラップ（１６’）は前記蓋（８）の前記端壁（１４）と前記後壁（１５）の間の接続要素として機能するよう設計された各々のフラップ（３５）を有する、請求項１１に記載のパック。
【発明の詳細な説明】
【技術分野】
【０００１】
本発明はタバコ製品用硬質パックに関する。
特に、以下の明細書中では、典型的に金属箔紙からなる内包装体により封入される一群のシガレットから構成されるタバコ製品を参照する。
【背景技術】
【０００２】
当該タイプのパックは、予め折り目を付けた平らな打抜きブランクから形成され、かつ、容器の後縁部に接続され同容器の開放上端を閉鎖する役目を果たすヒンジ式の蓋と、さらに、容器の内部に一部が設置され、蓋を安定した閉鎖位置に保持する要素を提供するように突出する補強フレームとを備える。
【０００３】
これらのヒンジ式蓋付パックが一旦開封されると、消費前のシガレットが残っている間、たとえ補強フレームが一般的に角縁に沿って保持要素を有しているとしても、蓋を正しく安定した閉鎖状態に保つにはいくらかの問題を経験する。
【０００４】
従って、内包装体の一部が最初に取り除かれることをさらに考慮すると、一群のシガレットを十分に保護することができず、その結果生じる香りと水分含量の損失により製品の劣化を招く。
【先行技術文献】
【特許文献】
【０００５】
【特許文献１】欧州特許公報第７６４５９５号
【特許文献２】欧州特許公報第１０６６２０６号
【発明の概要】
【０００６】
本発明の目的は、ヒンジ式蓋付パケットの強度と消費期間中の製品に提供される最高水準の保護作用とを併せ持つ、上述の欠点を克服するタバコ製品用パックを提供することである。
【０００７】
上記目的は、添付の特許請求の範囲に記載され特徴付けられる、タバコ製品用硬質パックに関する本発明により達成される。
添付図面を参照して、以下、本発明を例証として詳細に説明する。
【図面の簡単な説明】
【０００８】
【図１】本発明によるパックの第１実施形態を示す正面斜視図である。
【図２】本発明によるパックの第１実施形態を示す背面斜視図である。
【図３】開放状態における、図１のパックを示す斜視図である。
【図４】図３とは異なる開放状態における、図１のパックを示す斜視図である。
【図５】図４の詳細を示す一方から見た概略図である。
【図６】図１のパックを示す分解斜視図である。
【図７】本発明によるパックのさらなる実施形態の開放状態を示す概略斜視図である。
【図８】図１および図２のパックの形成材料となる打抜きブランクを示す平面図である。
【図９】図１および図２のパックの形成材料となる打抜きブランクを示す平面図である。
【発明を実施するための形態】
【０００９】
添付図面の図１から図６において、１は、金属箔紙からなる内包装体４により封入された一群２のシガレット３（図３および図４参照）から構成されるタバコ製品を含むように設計される、第１実施形態のパック全体を示す。
【００１０】
シガレット３の軸線に平行して延びる長手軸線Ａに関して実質的に平行六面体の外観を呈するパック１は、内箱部材、すなわちパケット５、および外箱部材、すなわちケース６、を含む。
【００１１】
内箱部材５は本質的にヒンジ式蓋付きパケットから成り、容器７と、軸線Ａを横切って延びる第一ヒンジ線９に沿って容器７に連結される蓋８を含む。
【００１２】
容器７は、二つの側面壁１２によって互いに連結される前壁１０と後壁、すなわち背面１１（図６）とを形成する二対の平行に配置された四つの長手方向側壁を有し、該四つの壁で包囲された空間はその一端を底壁１３により閉鎖される。
【００１３】
容器７の他端は蓋８によって閉鎖され、同蓋８は、底端壁１３に平行する上端壁１４と、容器の背面１１と同一平面を占有しかつ第一ヒンジ線９に沿って背面１１に連結される後壁１５と、および容器７の各側面１２と同一平面を占有する三角形状の二つの側壁１６とを有する。
【００１４】
蓋８はヒンジ９の周りを回動可能であり、図１に示される閉鎖位置にあるとき、上述した蓋８の側壁１６と上壁１４により提供される自由縁は、容器７の側面１２と前壁１０によりそれぞれ提供される対応する自由縁に接触して配置される。
【００１５】
外箱部材すなわちケース６は、主要な長方形の背面壁１７（図６）に加えて、背面壁１７の四方周囲に堅固に結合される、二つの長手方向壁１８と、長手軸線Ａを横切って配置される二つの壁１９とを有する。
【００１６】
外箱部材６は凹所２０（図６）を有し、該凹所２０は、パケット５の後壁すなわち背面１１が外箱部材の背面壁１７に接触し、底端壁１３が一方の横方向壁１９と接触し、上端壁１４が他方の横方向壁１９に接触し、かつ側面１２が外箱部材の長手方向壁１８に接触する配置でパケット５を収容する。
【００１７】
外箱部材すなわちケース６の奥行きは、側面１２の横幅を測定したパケット５の奥行きと実質的に等しい。
【００１８】
パケット５は、前壁１０と底端壁１３を結ぶ角縁に沿って、対応する外箱部材６の横方向壁１９によって提供され第二ヒンジ線２１を形成する自由縁にヒンジ止めすることで、図１に示される完全に収容された第一の位置と、図４に示される、パケットの一部を凹所から引き出し、パック１が完全に開いた状態の第二の位置との間でこれら同縁の周りを回動可能となる。
【００１９】
外箱部材６の長手方向壁１８とパケット５の側面１２との間に運動制限結合手段２２が配置され、該手段により、パケット５は所定の回転角内を第二ヒンジ線２１上で回動することを許可される。この運動制限結合手段２２は、各側面１２に設けた切り込み２４により形成され、その自由端がパケットの前壁１０に向かって突出する一対のタブ２３を含む。各タブ２３は、対応する長手方向壁１８の内側面により形成される折返し止め部２５の適応形状縁に係合するように設計されているため、図４に示すように、パック５が第二ヒンジ線２１の周りを回動する際に制限範囲内の角運動が許容される。
【００２０】
蓋８の上壁１４と、対応するケース６の横方向壁１９との間に、第二結合手段２６が配置され、該手段により、パケット５が回動しケース６の凹所から離れると自動的に蓋８が開く。第二結合手段２６は、切り欠き２８により形成されかつ横方向壁１９の自由縁からケース６の背面壁１７に向かって突出する単一のタブ２７と、蓋８の上壁１４と後壁１５にそれぞれ形成される二つのスロット２９および３０とを含む。
【００２１】
スロット２９および３０は、蓋の二つの壁１４および１５が連結される角縁に一致するウェブ３１を形成する役目を果たす。
【００２２】
図５で確認できるように、パケット５を回動させ外箱部材６から取り出す際、タブ２７がスロット２９および３０の位置にくると同スロット内に滑入しウェブ３１に係合することで、図５で見ると、蓋８は関連するヒンジ線９の周りを反時計回り方向に回動する。
【００２３】
図２および図６が示すように、ケース６の主要背面壁１７は、ユーザーがパケット５を簡単にケース６から取り出すことができ、それに伴い蓋８が自動的に開くように、パケット５の背面１１への接触を可能にする円形開口部３２を有する。
【００２４】
図７に示すパックは、パケット５はヒンジ式蓋８を有しないが、その代りに、図１の蓋が果たす機能を外箱部材６の上部横方向壁１９および背面壁１７の一部が果たすという点で、図１に示すパックとは異なる。
【００２５】
図７の実施例において、開口部３２を通してパケットの背面１１を押す代わりに、前壁１０に接続されたタブ３３を引くことにより、パケット５は凹所２０から引き出される。そして、この解決法を図１から図６のパケットに適用すると、ヒンジ式蓋８は同様の方法で自動的に開く。
【００２６】
パックのさらなる実施例（図示せず）において、ヒンジ式蓋８はパケットの前壁１０と同一平面を占有する前壁を有する従来の設計にしてもよい。この例において、二つの側壁１６は三角形ではなく台形の輪郭を呈する。
【００２７】
図８および図９に関し、５’および６’は包装材料の二つの平らなブランクを示し、これらに一連の折り曲げ工程を施すことにより、内箱部材、すなわちパケット５、および外箱部材、すなわちケース６、が形成される。
【００２８】
ブランク５’および６’の構成部分について以下に示すにあたり、少なくとも一部については、二つの箱部材５および６の対応する部分を示すために使用した既出の参照番号と同じ参照番号を使用する。
【００２９】
図８のブランク５は実質的に長方形の輪郭を呈し、かつ長手軸線Ａ’を横切り互いに平行して延びる折り目線により、複数のパネルに区分される。
【００３０】
パケットの前壁１０および背面１１とそれぞれ一致する二つのパネル１０’および１１’、ならびにこれら二つのパネルの間に位置し底端壁１３に一致するパネル１３’は、長手軸線Ａ’上に配列される。
【００３１】
パネル１０’は中間パネル１３’から遠く離れた折り目線に沿って、二重に折り返され同パネル１０’に対して極限まで平坦にされるフラップ１０’’、に連結される。
【００３２】
同パネル１０’は、関連する折り目線に沿って、長手方向両側を二つの側面パネル１２’に連結される。
【００３３】
同様に、パネル１１’は、関連する折り目線に沿って、長手方向両側を二つの側面パネル１２’’に連結される。
【００３４】
該パネル１２’および１２’’は対にして重ねて固着され内箱部材５の上述の側面１２を形成する。
【００３５】
パネル１１’は、蓋のヒンジ線９と一致する折り目線９’によってさらなるパネル１５’から区分され、そしてさらにパネル１５’は関連する折り目線によって端パネル１４’から区分される。
【００３６】
該二つのパネル１５’および１４’はそれぞれ蓋８の後壁１５および上壁１４と一致する。
【００３７】
斜めの切り込みにより各々の側面パネル１２’’から分離された二つの三角フラップ１６’は、パネル１５’の両端に結合され、各々の折り目線によって同パネルから区分され、かつ長手軸線Ａ’を横切る軸線上に配列される。
【００３８】
二つのフラップ３４は各々の折り目線を介して三角フラップ１６’から遠く離れた側面パネル１２’’の二つの端に結合され、内箱部材５の側面１２と底端壁１３とを互いに連結する役割を果たす。
【００３９】
同様に、二つのフラップ３５は各々の折り目線を介して二つの三角フラップ１６’と結合され、蓋８の上壁１４と後壁１５とを互いに連結する役割を果たす。
【００４０】
側面パネル１２’’は、上述の運動制限結合手段２２の一部をなすタブ２３’を形成する役を担う切り欠き２４’を有する。
【００４１】
最後に、パネル１５’および１４’は図６に示す結合手段２６の一部をなす各々のスロット２９’および３０’を有する。
【００４２】
図９のブランク６’は、長手軸線Ａ’’を横切り互いに平行して延びる折り目線によって、複数のパネルに区分される。
【００４３】
円形開口部すなわち孔３０’を提供する中央の長方形パネル１７’は、長手方向側と一致する長手方向折り目線を介して二つの側面パネル１８’に、かつ横方向側と一致する横方向折り目線を介して二つのさらなるパネル１９’に連結される。
【００４４】
中央パネル１７’は外箱部材６の背面壁１７と一致し、さらに隣接するパネル１８’および１９’は長手方向壁１８および横方向壁１９と一致する。
【００４５】
次に、長手方向壁１８を補強し、かつ各々の適応形状長手方向縁の作用により、運動制限結合手段２２のタブ２３と係合される折返し止め部２５を形成するように、側面パネル１８’は、二重に折り返され各パネル１８’に対して極限まで平坦にされる対応する端パネル２５’に各々の長手方向折り目線に沿って連結される。
【００４６】
各折り目線に沿って横方向上部パネル１９’と連結されるパネル３６は関連する横方向壁１９の補強要素として機能するように設計される。またこの同パネル３６はタブ２７’を形成するように形作られた切り欠き２８’を有し、このタブ２７’が、パック１を開くたびに、蓋８のスロット２９および３０により形成されるウェブ３１と相互作用することにより、上述の結合手段２６を提供する。
【００４７】
ブランク６’はまた、図９に見られるように、ブランク下部にある横方向パネル１９’に連結される実質的に台形の輪郭のフラップ３７を、第二ヒンジ線２１と一致する折り目線２１’に沿って有し、このフラップ３７を容器７の底部に接着剤で固着することにより外箱部材６と内箱部材５を互いに連結する要素を提供する。
【００４８】
二つのフラップ３８は各々の折り目線に沿って各長手方向パネル１８’の端に連結され、そのフラップ３８を介して、外箱部材６の長手方向壁１８と横方向壁１９は互いに連結される。
【００４９】
上述および図示されたパック１により提供される主な利点は、パケット５が凹所２０内に収容される際、蓋８が正しい閉鎖位置に保たれることで、完全な密閉状態をもたらし、その状態を消費されるべき製品が存在する間ずっと維持できることにある。
【００５０】
さらなる利点は、パケット５を凹所２０から取り出すと自動的に蓋８が開くことである。
【００５１】
最後に、当然のことながら、本発明に従って具体化したパック１は、少なくとも一つの丸められた又は面取りされた長手方向角縁をパケット５およびケース６に備えさせることにより、経済的な製造を実現するというさらなる利点を、既に述べた利点に加えて、提供することができる。
【００５２】
実質上、上記明細書および添付図面は、シガレットの外箱部材すなわちケース６と、図１に示すヒンジ式蓋付きの設計、または図７に示す蓋のない設計、を特徴とする内箱部材すなわちパケット５とを備え、このケース６およびパケット５の双方が尖った角縁を有する、パック１に関するものであるが、本発明の教示は、（図示されない実施態様に従って）長手方向および／または横方向角縁のうちの少なくともいくつかを丸みをもたせて又は面取りして形成したあらゆるタイプの内箱部材または外箱部材に等しく適用し得る。例えば、長手方向角縁を直角形状にせずに、丸めたり又は面取りしてもよく、あるいは同様に（特許文献１に開示されるシガレットパケットの設計を採用した場合）、長い方の横方向角縁（ケース６の横方向壁１９および背面壁１７を連結し、パケット５の上壁１４および背面１１を連結する横方向角縁）を直角形状にせずに、丸めたり又は面取りしてもよい。また、尖った角縁ではなく丸められ又は面取りされた角縁を長手方向角縁および横方向角縁の双方が具備するように、長手方向角縁のうちのいくつかと横方向角縁のうちのいくつかを、直角形状にせずに、丸めたり又は面取りしてもよい。
【００５３】
最後に、図示しない別のタイプの実施態様を採用した場合、外側ケース６および内側パケット５の双方に特許文献２に開示されるシガレットパケットの形状を持たせることも可能である。この場合、ケース６の背面１７とパケット５の主要面１０および１１は凸形状を呈しており、各々は平らな中央部と二つの折り目付き湾曲側方部とを有し、この折り目付き湾曲側方部は一方の側で平らな中央部と結合し他方の側で先の尖っていない鋭角の長手方向角縁に沿ってケースとパケットの側面に連結される。
【図１】
2010533628.tif 000003
【図２】
2010533628.tif 000004
【図３】
2010533628.tif 000005
【図４】
2010533628.tif 000006
【図５】
2010533628.tif 000007
【図６】
2010533628.tif 000008
【図７】
2010533628.tif 000009
【図８】
2010533628.tif 000010
【図９】
2010533628.tif 000011
【国際調査報告】
2010533628.tif 000012
2010533628.tif 000013